(57)【要約】【課題】簡素な構成により各種形態のキャビネットに容易に適用し得て汎用性を向上させ得ると共に、引出しへの悪影響を無くして使い勝手に優れた引出し構造を提供する。【解決手段】キャビネットの側板に設けた第１のレールに沿って引出し可能に配設された引出しと、該引出しの上部空間内に配置され前記キャビネットの側板に設けた第２のレールに沿って引出しとは独立して引出し可能に配設された内引出しと、を備え、内引出しは、引出しの例えば後端部にマグネット等からなる係止手段により係止されて、引出しの引出し動作に連動して引出し可能に配設されると共に、係止手段の係止状態が解除された際に引出しとは別体で引出し可能に配設される。【選択図】  図３
2008000156.tif 000002
【特許請求の範囲】
【請求項１】
キャビネットの側板に設けた第１のレールに沿って引出し可能に配設された引出しと、該引出しの上部空間内に配置され前記キャビネットの側板に設けた第２のレールに沿って前記引出しとは独立して引出し可能に配設された内引出しと、を備え、
前記内引出しは、前記引出しに係止手段により係止されて、引出しの引出し動作に連動して引出し可能に構成されていると共に、前記係止手段の係止状態が解除された際には前記引出しとは別体で引出し可能に配設されていることを特徴とする引出し構造。
【請求項２】
前記係止手段は、前記引出しがキャビネット内に格納された状態において、第１の引っ張り力で引っ張った際にその係止状態が維持されて内引出しが引出しと連動して引き出され、第２の引っ張り力で引っ張った際にその係止状態が解除されて引出しのみが引き出されることを特徴とする請求項１に記載の引出し構造。
【請求項３】
前記係止手段は、マグネットの磁力を利用して引出しと内引出しとを係止させることを特徴とする請求項１または２に記載の引出し構造。
【請求項４】
前記係止手段は、前記引出しと内引出しの背面板の長手方向両端部に緩衝手段を介してそれぞれ配置されていることを特徴とする請求項１ないし３のいずれかに記載の引出し構造。
【発明の詳細な説明】
【技術分野】
【０００１】
本発明は、システムキッチン等のキャビネットに引出し可能に配設される引出し構造に係わり、特に内引出しを備えた引出し構造に関する。
【背景技術】
【０００２】
従来、内引出しを備えてキャビネットに引出し可能に配設される引出し構造としては、例えば特許文献１に開示されている。この引出し構造は、引出しの左右側板の上部に取り付けられたガードパイプに内引出しの左右の側板底面に設けた溝条を係合させると共に、内引出しの側板に取り付けたサイドローラがキャビネットのレールに係合し、内引出しが、キャビネット内においてはレールに沿って移動し、引出しが引き出された状態においてはガードパイプに沿って移動するように構成されている。
【特許文献１】特開２００３−１５３７５３号公報
【発明の開示】
【発明が解決しようとする課題】
【０００３】
しかしながら、このような引出し構造においては、内引出しがキャビネット内ではレールに沿って移動しキャビネット外ではガードパイプに沿って移動する構造であるため、内引出しの引出しに対する設置高さがガードパイプの位置に特定化され、設置高さの調整が困難で各種形態のキャビネットに適用できない等、汎用性の面で劣ると共に、内引出しの移動によるガードパイプの変形や傷付き防止のためガードパイプに所定の剛性を確保する必要がある。また、内引出しがレールからガードパイプに乗り移る構成であるため、この内引出しがガードパイプに乗り移る際に異音が発生したり、スムーズな引出しや格納動作が困難で引出しの使い勝手の面でも劣ることになる。
【０００４】
本発明は、このような事情に鑑みてなされたもので、その目的は、簡素な構成により各種形態のキャビネットに容易に適用し得て汎用性を向上させ得ると共に、引出しへの悪影響を無くして使い勝手に優れた引出し構造を提供することにある。
【課題を解決するための手段】
【０００５】
かかる目的を達成すべく、本発明のうち請求項１に記載の発明は、キャビネットの側板に設けた第１のレールに沿って引出し可能に配設された引出しと、該引出しの上部空間内に配置され前記キャビネットの側板に設けた第２のレールに沿って前記引出しとは独立して引出し可能に配設された内引出しと、を備え、前記内引出しは、前記引出しに係止手段により係止されて、引出しの引出し動作に連動して引出し可能に構成されていると共に、前記係止手段の係止状態が解除された際には前記引出しとは別体で引出し可能に配設されていることを特徴とする。
【０００６】
そして、前記係止手段は、請求項２に記載の発明のように、前記引出しがキャビネット内に格納された状態において、第１の引っ張り力で引っ張った際にその係止状態が維持されて内引出しが引出しと連動して引き出され、第２の引っ張り力で引っ張った際にその係止状態が解除されて引出しのみが引き出されることが好ましい。また、前記係止手段は、請求項３に記載の発明のように、マグネットの磁力を利用して引出しと内引出しとを係止させることが好ましく、また、請求項４に記載の発明のように、前記引出しと内引出しの背面板の長手方向両端部に緩衝材を介してそれぞれ配置されていることが好ましい。
【発明の効果】
【０００７】
本発明の請求項１に記載の発明によれば、キャビネットに設けた第２のレールに沿って引出し可能な内引出しが、キャビネットに設けた第２のレールとは別体の第１のレールに沿って引出し可能な引出しに係止手段により係止されているため、引出し内に引出し可能に配設される内引出しを引出しとは別のレールに沿って引出しでき、レールの位置により各種形態のキャビネットに容易に適用できて汎用性を向上させることができる。また、内引出しが引出しとは別のレールに沿って乗り換え等をすることなく移動するため、引出しのガードパイプ等への悪影響を無くすことができると共に内引出しの引出し時に異音の発生がなく、かつ内引出しのスムーズな引出し動作が得られる等、使い勝手に優れた引出しや格納構造を得ることができる。さらに、係止手段の係止状態が解除された際に内引出しが引出しとは別体で引出し可能に配設されているため、例えば引出しを引き出した状態で内引出しを引き出すことができたり、両引出しを引き出した状態から内引出しのみを格納することもできて、引出し内の収容物の出し入れが容易に行える等、引出しの使い勝手の向上を図ることができる。
【０００８】
また、請求項２に記載の発明によれば、請求項１に記載の発明の効果に加え、格納状態の引出しを第１の引っ張り力で引っ張った際に係止手段の係止状態が維持され、第２の引っ張り力で引っ張った際に係止手段の係止状態が解除されるため、引出しの引っ張り力によって引出しと内引出しの係止状態を所望に設定して引出しや内引出し内への収納物の出し入れが可能となり、引出しの使い勝手の一層の向上を図ることができる。
【０００９】
さらに、請求項３に記載の発明によれば、請求項１または２に記載の発明の効果に加え、係止手段がマグネットの磁力を利用して引出しと内引出しとを係止させるため、安価な所定磁力のマグネットの使用により係止手段による係止やその解除を簡単かつスムーズに行うことができる。
【００１０】
また、請求項４に記載の発明によれば、請求項１ないし３に記載の発明の効果に加え、係止手段が引出しと内引出しの背面板の長手方向両端部に緩衝手段を介してそれぞれ配置されているため、引出しと内引出しを係止手段で確実に係止できると共に、緩衝手段により係止手段の係止や解除時の異音発生等を抑制することができる。
【発明を実施するための最良の形態】
【００１１】
以下、本発明の実施の形態を図面に基づいて詳細に説明する。
図１〜図７は、本発明に係わる引出し構造を採用したシステムキッチンの一実施形態を示し、図１がシステムキッチンの斜視図、図２が調理台キャビネットの縦断面図、図３及び図４がその半断面図及び平面図、図５及び図６が要部の側面図及び背面図、図７が動作説明図である。
【００１２】
図１に示すように、システムキッチン１は、上面にシンク６が配置されたシンクキャビネット２と、このシンクキャビネット２の右側に配置され食器乾燥機が内蔵された乾燥機キャビネット３と、シンクキャビネット２の左側に配置された調理台キャビネット４と、この調理台キャビネット４の左側に配置され上面にコンロ台７が設けられたコンロ台キャビネット５等を有し、これらの各キャビネット２〜５の上面には、カウンター８が配置されている。
【００１３】
また、シンクキャビネット２及びコンロキャビネット５には、所定数の引出９が配設されると共に、調理台キャビネット４には、例えば上下方向に３段の引出し１０〜１２が設けられている。この調理台キャビネット４（以下、単にキャビネット４という）は、図２〜図４に示すように、前板４ａ、左右の側板４ｂ、底板４ｃ、背面板４ｄ等により前面に開口部を有する如く枠組み形成され、前面の開口部に３つの引出し１０〜１２が引出し可能に配設されている。この３つの引出し１０〜１２のうち、中段の引出し１１にはその内部に内引出し１３が配設されている。
【００１４】
すなわち、引出し１１は、前面の鏡板１１ａと、左右の側板１１ｂ、底板１１ｃ及び背面板１１ｄ等によって箱状に形成され、左右の側板１１ｂに設けたローラ（図示せず）がキャビネット４の側板４ｂ内面に設けたレール１４（図３参照）に係合することにより、キャビネット４に対して引出し可能に配設されている。また、引出し１１の側板１１ｂ上方で鏡板１１ａの裏面と背面板１１ｄ間には金属や樹脂製のガードパイプ１６が取り付けられており、このガードパイプ１６の上方で、鏡板１１ａの後方に形成される引出し１１の内部空間内に内引出し１３が配設されている。
【００１５】
この内引出し１３は、前面の鏡板１３ａと、左右の側板１３ｂ、底板１３ｃ及び背面板１３ｄ等によって、引出し１１の略半分程度の面積を有する箱状に形成され、左右の側板１３ｂに設けたローラ（図示せず）がキャビネット４の側板４ｂ内面に設けたレール１５（図３参照）に係合することにより、キャビネット４に対して引出し１１とは独立して引出し可能に配設されている。この時、内引出し１３用のレール１５と引出し１１用のレール１４は、レール１５の長さがレール１４の長さより所定寸法短く形成されて、内引出し１３の引出し距離が所定距離となるように設定されている。
【００１６】
また、内引出し１３と引出し１１は、その背面板１３ｄ、１１ｄ側で係止手段１７によって係止されている。この係止手段１７は、図５及び図６に示すように、内引出し１３の背面板１３ｄの左右幅方向両端部にマグネット取付板１７ｂによって配設されたマグネット１７ａと、引出し１１の背面板１１ｄの左右幅方向両端部に配設された吸着板１７ｃ等により形成されている。この時、マグネット取付板１７ｂは側面視でＬ字形状に形成され、その下方に延びた垂直部に接着剤１８を介して例えば円盤状のマグネット１７ａが固着され、また、吸着板１７ｃのマグネット１７ａが吸着する部分には、フェルトやスポンジ等からなる薄い緩衝材１９（緩衝手段）が固着されている。
【００１７】
なお、前記マグネット１７ａと吸着板１７ｃの吸着力は、マグネット１７ａ自体の磁力あるいはその大きさ等により、後述するように引出し１１を通常の引っ張り力（第１の引っ張り力）で引っ張った際に吸着状態が維持され、引出し１１に比較的強い力を瞬間的に加える引っ張り力（第２の引っ張り力）で引っ張った際に吸着状態が解除されるように設定されている。また、係止手段１７のマグネット１７ａと吸着板１７ｃの位置関係は、図示した例と逆構成のマグネット１７ａを引出し１１側に配設し吸着板１７ｃを内引出し１３側に配設することも可能である。
【００１８】
次に、このように構成された引出し１１の動作を図７等に基づいて説明する。先ず、引出し１１をキャビネット４内に押し込んだ格納状態においては、図２及び図７の実線で示すように、キャビネット４の前面開口部が引出し１１の鏡板１１ａで閉塞された状態となっている。この状態で、引出し１１を前述した通常の引っ張り力（第１の引っ張り力）で引っ張ると、引出し１１がレール１４に沿って前方に移動すると共に、この引出し１１に係止手段１７により係止されている内引出し１３もレール１５に沿って引出し１１に連動する状態で前方に移動し、図７（ａ）の二点鎖線の位置に設定される。
【００１９】
この両引出し１１、１３の引出し時に、引出し１１と内引出し１３がそれぞれ専用のレール１４、１５に沿って移動し、内引出し１３の荷重が引出し１１のガードパイプ１６等に加わることがなくなると共に内引出し１３が１本のレール１５上を移動し、両引出し１１、１３がキャビネット４に対してスムーズに引き出されることになる。なお、引出し１１や内引出し１３の最前端の引出し位置は、レール１４、１５の長さと図示しないストッパにより規制されており、引出し１１を最大限引き出した場合に、引出し１１と内引出し１３との係止状態が維持されるように設定しても良いし、内引出し１３の最先端の引出し位置をやや後方に設定して、引出し１１を最大限引き出した場合に、引出し１１と内引出し１３との係止状態が解除されるようにマグネット１７ａと吸着板１７ｃとの間に所定の隙間が生じるように設定しても良い。
【００２０】
そして、両引出し１１、１３の引出し位置で収容物の出し入れ作業が終了して、引出し１１の鏡板１１ａが後方側に押されると、引出し１１がレール１４に沿って後方側に移動すると共に、この引出し１１に係止手段１７により係止されている内引出し１３も引出し１１と連動する状態でレール１５に沿って後方側に移動し、両引出し１１、１３が図７（ａ）の実線で示す格納位置に設定される。この引出し１１、１３の格納時においても、両引出し１１、１３がそれぞれ専用のレール１４、１５に沿って互いに干渉することなく移動して、キャビネット４内にスムーズに格納されることになる。
【００２１】
一方、引出し１１の格納状態において、引出し１１の鏡板１１ａを前述した通常の引っ張り力より強い第２の引っ張り力で引っ張ると、係止手段１７のマグネット１７ａと吸着板１７ｃの係止（吸着）状態が解除され、図７（ｂ）に示すように、引出し１１のみがレール１４に沿って前方に移動してキャビネット４から引き出される。この時、内引出し１３は、レール１５の後方側に格納された状態となっており、例えば引出し１１の上部の開口から手を入れて内引出し１３の鏡板１３ａを前方に引っ張ることにより、内引出し１３を引き出すことができる。これにより、例えば引出し１１内の前部に比較的高さの高い収納物がある場合等に、一旦引出し１１のみを引き出して当該収納物を取り出し、その後に内引出し１３を引き出して内引出し１３内の収納物を出し入れできることになる。
【００２２】
また、この引出し１１と内引出し１３の係止状態が解除された場合の両引出し１１、１３のキャビネット４内への格納は、引出し１１を後方側に押し込むことによる背面板１１ｄの移動により、その吸着板１７ｃも移動して内引出し１３のマグネット１７ａに当接して吸着される。この時、吸着板１７ｃに緩衝材１９が固着されているため、マグネット１７ａがこの緩衝材１９を介してマグネット１７ａに吸着され、吸着板１７ｃとマグネット１７ａの吸着時の異音（吸着音）の発生が抑制される。また、引出し１１が内引出し１３とは別体で前方に引き出されている場合は、引出し１１を押し込むだけで、その収納動作中において係止手段１７で両引出し１１、１３が係止されて一体となりキャビネットの格納位置に格納されることになる。
【００２３】
つまり、前記引出し１１の場合、引出し１１の内部空間内に配設される内引出し１３を専用のレール１５に沿って移動させると共に、引出し１１と内引出し１３をその背面板１１ｄ、１３ｄ側で係止手段１７により係止させることにより、通常の引っ張り力の場合は、両引出し１１、１３を一体化した状態でかつ互いに干渉することなく引出したり格納することができ、また、比較的強い力で引っ張ることにより、係止手段１７の係止状態が解除されて引出し１１のみを引出しできることになる。
【００２４】
このように、上記実施形態の引出し１１にあっては、キャビネット４の側板４ｂに引出し専用のレール１４と内引出し１３専用のレール１５をそれぞれ配置し、両引出し１１、１３の背面板１１ｄ、１３ｄが係止手段１７により互いに係止されているため、引出し１１内に引出し可能に配設される内引出し１３を引出し１１とは別のレール１５に沿って引出したり格納することができる。その結果、例えばレール１５の位置により各種大きさ等のキャビネット４に容易に適用することができて汎用性を向上させることができる。また、同時に、内引出し１３の引出しや格納時に、引出し１１のガードパイプ１６等への干渉がなくなり、従来の内引出しのような引出し時の異音発生を防止できると共に引出し１１の変形等が防止されて、長期に亘る内引出し１３のスムーズな引出し動作が得られて使い勝手に優れたキャビネット４を提供することが可能となる。
【００２５】
また、キャビネット４にそれぞれ専用のレール１４、１５を設けることで対応できるため、部材（特にレール１４、１５）の共通化が図れて、従来のようにレールやキャビネットを個別に設定（開発）する必要がなくなり、コスト的に有利なキャビネット４を得ることができる。また、係止手段１７（特にマグネット取付板１７ｂ）の形状やレール１５の形状（長さや位置）を工夫することにより、内引出し１３の引出しに対する設置高さや奥行き位置を所望に設定できて、ユーザーの好みに応じたキャビネット４の開発を容易に行うことができる。さらに、係止手段１７が引出し１１や内引出し１３の背面板１１ｄ、１３ｄ側に位置するため、係止手段１７が収納物の出し入れ時に邪魔になることがなくなると共に、引出し１１を引き出した際に前方から視認され難く、キャビネット４の見栄えの低下を防止することもできる。
【００２６】
また、引出し１１の鏡板１１ａを通常の引っ張り力より強い第２の引っ張り力で引っ張ることにより、係止手段１７の係止状態が解除されるため、引出し１１を引き出した状態で内引出し１３を前方に引き出すことができて、例えば引出し１１内の前部に収納されている高さの高い収容物を出した後に内引出し１３を引き出しできる等、引出し１１の使い勝手の向上を図ることができる。特に、引出し１１の引っ張り力によって引出し１１と内引出し１３の係止状態を所望に設定できることから、格別な部品を設けることなく、係止手段１７の解除や係止を行うことができて、構成簡易にして引出し１１の使い勝手のより一層の向上を図ることが可能となる。
【００２７】
さらにまた、係止手段１７としてマグネット１７ａと吸着板１７ｃが使用され、マグネット１７の磁力を利用して引出し１１と内引出し１３とを係止させる構造であるため、安価で所定磁力のマグネット１７ａの使用により係止手段１７の係止や解除を簡単かつスムーズに行うことができる。また、係止手段１７が引出し１１と内引出し１３の背板板１１ｄ、１３ｄの長手方向両端部に緩衝材１９を介してそれぞれ配置されているため、引出し１１と内引出し１３を係止手段１７で確実に係止できると共に、緩衝材１９により係止手段１７の係止や解除時の異音発生を抑制することができて、一層スムーズな引出し動作や格納動作を得ることが可能となる。
【００２８】
なお、上記実施形態においては、係止手段１７としてマグネット１７ａと吸着板１７ｃを使用したが、本発明はこれに限定されず、例えば一対の布製ファスナや回転可能なローラとこれを挟み込む鈎状フックからなる係止部材等、互いに脱着可能な他の適宜の係止手段を採用することができる。また、上記実施形態においては、係止手段１７を、内引出し１３の背面板１３ｄと引出し１１の背面板１１ｄのそれぞれ左右幅方向両端部に配設されたマグネット１７ａと吸着板１７ｃ等により形成しているが、内引出し１３の背面板１３ｄと引出し１１の背面板１１ｄのそれぞれ左右幅方向の中央部等に１つのマグネット１７ａと吸着板１７ｃとを設ける構成としても良く、係止手段１７の配置位置等は限定されるものではない。
【００２９】
さらに、上記実施形態においては、係止手段１７の解除を引出し１１の鏡板１１ａの引っ張り力の大小で行ったが、例えば係止手段１７として電磁石と吸着板を使用し、電磁石へ通電するためのスイッチを引出し１１の鏡板１１ａ等に設け、該スイッチをオンした際に電磁石がＯＦＦして係止手段１７の係止状態を解除する構成とすることもできる。また、この係止手段１７の解除方法としては、鏡板１１ａに把手を傾動可能に設けると共にこの把手と係止手段１７とを連結し、把手を傾動させた際に係止手段が解除される機械的な構成を採用することも可能である。
【００３０】
またさらに、上記実施形態においては、引出し１１の鏡板１１ａが第２の引っ張り力で引っ張られた際に係止手段１７の係止状態が解除されるように構成したが、例えば鏡板１１ａの引っ張りだけでは解除されず、両引出し１１、１３を手でもって所定の力で引き離すことにより解除できるように構成して、係止手段１７の不用意な解除を防止する構成とすることもできる。また、上記実施形態においては、内引出し１３が調理台キャビネット４の中段の引出しとして設けられる例について説明したが、調理台キャビネット４の上段や下段の引出し１０、１２に適用しても良いし、システムキッチン１の他のキャビネット２、５の各種引出し８に適用することもできる。
【００３１】
また、上記実施形態における、システムキッチン１の全体構成や各キャビネット自体の構成、引出し１１や内引出し１３の構成等も一例であって、例えば引出し１１のガードパイプ１６を廃止したり、各引出し１１、１３をパンチング板で形成する等、本発明に係わる各発明の要旨を逸脱しない範囲において適宜に変更することができる。
【産業上の利用可能性】
【００３２】
本発明は、システムキッチン等のキッチンの引出しキャビネットへの適用に限らず、例えばキッチンのシンクキャビネットやコンロ台キャビネット等の引出し、あるいはキッチン以外の洗面化粧台や各種ストッカー、各種机のキャビネット等、引出しを有する全ての製品に適用できる。
【図面の簡単な説明】
【００３３】
【図１】本発明に係わる引出し構造を採用したシステムキッチンの一実施形態を示す斜視図
【図２】同その引出しキャビネットの縦断面図
【図３】同その正面から見た半断面図
【図４】同平面図
【図５】同引出しと内引出しの連結部分の側面図
【図６】同その背面図
【図７】同動作説明図
【符号の説明】
【００３４】
１・・・システムキッチン、２・・・シンクキャビネット、３・・・乾燥機キャビネット、４・・・調理台キャビネット、４ｂ・・・側板、４ｄ・・・背面板、５・・・コンロ台キャビネット、９、１０〜１２・・・引出し、１１ａ・・・鏡板、１１ｂ・・・側板、１１ｃ・・・底板、１１ｄ・・・背面板、１３・・・内引出し、１３ａ・・・鏡板、１３ｂ・・・側板、１３ｃ・・・底板、１３ｄ・・・背面板、１４・・・レール、１５・・・レール、１６・・・ガードパイプ、１７・・・係止手段、１７ａ・・・マグネット、１７ｂ・・・マグネット取付板、１７ｃ・・・吸着板、１８・・・接着剤、１９・・・緩衝材。
【図１】
2008000156.tif 000003
【図２】
2008000156.tif 000004
【図３】
2008000156.tif 000005
【図４】
2008000156.tif 000006
【図５】
2008000156.tif 000007
【図６】
2008000156.tif 000008
【図７】
2008000156.tif 000009